(57)【要約】【課題】本発明は、従来のスプリング式ロールスクリーンの回転部の構造を改良・簡素化し、操作性を簡便にすることにあります。その為には、ロールスクリーンが速く回転すると共に、素早く停止するという相反する機能を持たせる必要があります。即ち、ロールスクリーンの下桟を持って、上昇・下降を繰り返しても常に手の動きに追随し、一体となって手の動きに合わせて上下するスプリング式ロールスクリーンを得ることにあります。【解決手段】ロール５の先端に固着した座金１５とフック３・３’を設け、そのフック３・３’と嵌合するフック穴１０・１０’を有するビーズ２には、円筒軸穴１１と軸棒穴１２を設けたもので、それらの両穴に円筒軸１３と軸棒４が挿入されるものである。ロール５の先端部とビーズ２と軸受１が一体となり、軸棒４を上下動させることによって、ロール５を回転・停止させることができる手の動きに合わせて上下するスプリング式ロールスクリーンである。【選択図】図２
2012007457.tif 000002
【特許請求の範囲】
【請求項１】
スプリング式ロールスクリーンの回転部を改良・簡素化し、操作性を簡便にするために、ロール５の先端に固着した座金１５とフック３・３’（フック３の１８０°反対側）を有するロール５を特徴とする手の動きに合わせて上下するスプリング式ロールスクリーン。
【請求項２】
スプリング式ロールスクリーンの回転部を改良・簡素化し、操作性を簡便にするために、ビーズ２は半球よりやや大きく、軸棒穴１２は、球心に向かって貫通し、その貫通穴に沿って円筒軸１３より太い円筒軸穴１１を設けたものである。また、フック穴１０・１０’（フック１０の１８０°反対側）の対角線はビーズ２の球心点と交わり、そのフック穴１０・１０’を中心軸にしてビーズ２が上下動するのを特徴とする手の動きに合わせて上下するスプリング式ロールスクリーン。
【請求項３】
スプリング式ロールスクリーンの回転部を改良・簡素化し、操作性を簡便にするために、軸受１に凸字型の円筒軸１３を有し、その先端に固定軸１４を有して、その固定軸１４を中心に軸棒４が上下動するのを特徴とする手の動きに合わせて上下するスプリング式ロールスクリーン。
【請求項４】
スプリング式ロールスクリーンの回転部を改良・簡素化し、操作性を簡便にするために、ロール５の先端に固着した座金１５とフック３・３’を設け、そのフック３・３’と嵌合するフック穴１０・１０’を有するビーズ２には、円筒軸穴１１と軸棒穴１２を設けたもので、それらの両穴に円筒軸１３と軸棒４が挿入されるものである。ロール５の先端部とビーズ２と軸受け１が一体となり、軸棒４を上下動させることによって、ロール５を回転・停止させることができるのを特徴とする手の動きに合わせて上下するスプリング式ロールスクリーン。
【発明の詳細な説明】
【技術分野】
【０００１】  本発明は主に住宅の窓を覆うスプリング式ロールスクリーンに関するものである。その他の用途として、映像を写し出す映画用ロールスクリーン、自動車・電車等の乗り物の窓用ロールスクリーン、展示物の絵画や装飾品などの埃除けのカバーロールスクリーン、棚やキャビネットの扉の代わりになる扉用ロールスクリーン、室内の照明の光を緩和したり、部屋を仕切る間仕切りロールスクリーン、また、暖簾等にも使用することができる手の動きに合わせて上下するスプリング式ロールスクリーンである。
【背景技術】
【０００２】  従来のスプリング式ロールスクリーンの停止・解除機能が複雑で、ロールパイプの径も太く、スクリーンの巻き上げ時にはスクリーンの生地によっては、大きく膨らんで太くなり、窓のインテリアとしては見栄えが好くなかった。
また、スクリーンの下桟を持って上下に移動して、好みの位置に止めようとする場合、希望の位置近辺で上下に揺動して、ストッパーが掛かる位置を捜して確認した後でないと止まらなかったし、必ずしも止めたい位置で止まるとも限らなかった。そして再度、スクリーンを好みの位置に変更移動するには、必ずスクリーンを下に引いて、ストッパー解除をしてからでないと、スクリーンは上にも下にも動かせなかった。その為に、スクリーンをつよく引き降ろした時に引き切り（オーバーライン）状態になり、ストッパーを解除できずに、上にも下にも動かなくなる時があった。
【発明の概要】
【発明が解決しようとする課題】
【０００３】  本発明は、以上のような諸欠点に対し、スプリング式ロールスクリーンの停止・解除機構を簡素化して、ロールのパイプの径を細くすると共に、停止・解除機構に、速く回転することと、素早く止まるという相反する構造を持たせたものである。
本発明の停止・解除機構は、スクリーンの下桟を持って、上下に移動して希望の位置に止めようとする場合、手の動きを停止するだけでその近辺に止まり、また、次に移動させる場合でも、スクリーンの下桟をそのまま上下動させるだけで、自由に移動し、ストッパーの解除も必要がありません。従って、引き切り（オーバーライン）状態になることもなく、手の動きに合わせて上下するスプリング式ロールスクリーンの提供を目的とするものである。
【課題を解決する為の手段】
【０００４】  上記目的を達成するために、本発明はロール５の先端に固着した座金１５とフック３・３’を設け、そのフック３・３’と嵌合するフック穴１０・１０’を有するビーズ２には、円筒軸穴１１と軸棒穴１２を設けたものである。ロール５の先端部とビーズ２と軸受１が一体となり、軸棒４をスムーズに上下動させることによって、ロール５を回転・停止させ、手の動きに合わせて上下するスプリング式ロールスクリーンを構成している。
【発明の効果】
【０００５】  以上の説明から明らかのように、本発明の回転部の構造が簡素な為、ロールのパイプの径を細くすることができ、部品数も少なくて済み、経済的である。
また、スクリーンの上下動の位置決めをする場合、好みの位置付近でのロールにストッパーがかかるので、高さ調節を細かくすることができ、従来のようにストッパー位置を捜す必要がないので、時間の節約にもなり、精神的にも非常に楽である。そして、引き切り（オーバーライン）状態になることもありません。
【図面の簡単な説明】
【０００６】
【図１】本発明の実施の回転時の断面図である。
【図２】本発明の実施の停止時の断面図である。
【図３】本発明のビーズ２の斜視図である。
【図４】本発明のビーズ２の正面図である。
【図５】本発明のビーズ２の左側面断面図である。
【図６】本発明の軸受１と軸棒４を連結した斜視図である。
【図７】本発明の軸受１と軸棒４を連結した正面図である。
【図８】本発明の軸受１と軸棒４を連結した右側面断面図である。
【発明を実施するための形態】
【０００８】  本発明は、従来のスプリング式ロールスクリーンに代わる新しい方式の形態で、従来に比べて、使い易さ、素早い操作性、構造の簡素化を追求したものである。本発明の構造は、大きく３部の構造から成り立っています。
まず、スクリーン８を巻き込むロール部は、図１・図２に示すように、ロール５の先端に、座金１５とフック３・３’（フック３の１８０°反対側）を設け、スプリング６のコイルバネの長さより少し長めの位置にスプリング６と結合するスプリング軸７を有するものである。座金１５はビーズ２のカット面Ａ・Ｂと接面、又は近接し、フック３・３’はビーズ２のフック穴１０・１０’（フック穴１０の１８０°反対側）と嵌合し、ビーズ２がフック３・３’を軸（円心）に上下動し、座金１５とカット面Ａに接面する時は、軸棒４が水平になり、ロール５が回転するが、カット面Ｂに移行するときは、ロール５と軸棒４のねじれでブレーキが働きロール５が停止する。
次に、ロール５に速い回転と素早く停止するという相反する機能を伝えるビーズ部は、図３・図４・図５に示すように、ビーズ２は半球よりやや大きく、軸棒穴１２は、球心に向かって貫通し、その貫通穴に沿って、円筒軸１３より太い円筒軸穴１１を設けたものである。また、フック穴１０とフック穴１０’の対角線はビーズ２の球心点と交わり、そのフック穴１０・１０’を中心軸にしてビーズ２が上下動する構造である。その上下動は軸棒穴１２に対して、直角にカットされたカット面Ａでは軸棒穴１２が水平になり、軸棒穴１２に対して鋭角にカットされたカット面Ｂでは水平でなくなる構造である。
最後に、壁１６に固着する軸受部は、図６・図７・図８に示すように軸受１に凸字型の円筒軸１３を有し、その先端に固定軸１４を有して、その固定軸１４を中心に軸棒４が上下動するものである。
尚、固定軸１４の位置は、図１・図２に示すようにフック３とフック３’の対角線上に位置するもので、軸棒４の上下動の回転とビーズ２の上下動の回転とが同調、又はクロスして素早い停止と速い回転が起こるのである。
【実施例１】
【０００９】  図１は本発明装置の実施例１の回転時の断面図であって、スクリーン８の引き桟９を上方又は下方に移動させてロール５が回転しているときの形態である。ロール５が回転するには軸棒４が水平になることが必要である。その為には壁１６に固着した軸受１の固定軸１４は常に水平であるから、ロール５のフック３とフック３’の対角線が垂直（固定軸１４とフック３・３’の対角線が十字）になれば、軸棒４が水平になります。その時、ビーズ２のカット面Ａは、座金１５と接面して軸棒４の直角を補助している状態であるが、カット面Ｂのように鋭角でも問題はない。上記の回転状態は、ロール５が半回転毎に軸棒４が水平になり、逆に半回転毎に水平でなくなり図２の形態になります。
ロール５がスムーズに上方・下降回転するのは、引き桟９を強く引くスピード回転、上昇はスプリング６のバネの力による巻き戻し回転のスピードの速さで回転が維持されるものである。
【実施例２】
【００１０】  図２は本発明装置の実施例２の停止時の断面図であって、スクリーン８の引き桟９を上方又は下方に揺動させた後、ロール５が停止している時の形態である。
ロール５にブレーキがかかり停止するのは、軸棒４が水平でなくなる時で、同時に軸棒穴１２も傾き、ビーズ２も連動して傾いて、ビーズ２と軸棒４のねじれによってブレーキが働き停止するのである。
スプリングのバネ力には常時縮む力、そして軸棒４とスプリング６の連結部においては、回転力と上下・左右に跳ねる遠心力を持っています。
スプリング６の回転力でロール５が回転しているときは、回転力の惰力で軸棒４は水平を維持しているが、回転の速度が落ちたり停止すると、スプリング６の回転力は徐々に上下・左右に跳ねる遠心力に代わり、ロール５のフック３とフック３’の対角線が垂直（固定軸１４とフック３・３’の対角線が＋字）でなくなり始めると、この遠心力で軸棒４は図２のように水平でなくなり、ロール５にブレーキがかかり停止するのである。
【産業上の利用可能性】
【００１１】  本発明の手の動きに合わせて上下するスプリング式ロールスクリーンは、回転部を改善して、スプリング式ロールスクリーンの簡便性・操作性を追求したもので、誰でも窓のロールスクリーンの開閉を容易にできるようにしたものであるが、本来の目的は、室内のインテリアを簡単に、短時間で、自分好みの模様替えができることを目的としたものである。
ロールスクリーンの模様替え、つまり、着せ替えが容易になるとスクリーンの色・柄・模様等の組合せが無限大に広がり、個人の洋服のファッションのようにロールスクリーンの多様性が広がっていく可能性が秘められています。
【符号の説明】
【００１２】  １・・・・・・軸受                    １０、１０’・・・フック穴
２・・・・・・ビーズ                  １１・・・・・・円筒軸穴
３、３’・・・フック                  １２・・・・・・軸棒穴
４・・・・・・軸棒                    １３・・・・・・円筒軸
５・・・・・・ロール                  １４・・・・・・固定軸
６・・・・・・スプリング              １５・・・・・・座金
７・・・・・・スプリング軸            １６・・・・・・壁
８・・・・・・スクリーン              Ａ、Ｂ・・・・カット面
９・・・・・・引き桟
【図１】
2012007457.tif 000003
【図２】
2012007457.tif 000004
【図３】
2012007457.tif 000005
【図４】
2012007457.tif 000006
【図５】
2012007457.tif 000007
【図６】
2012007457.tif 000008
【図７】
2012007457.tif 000009
【図８】
2012007457.tif 000010